(57)【要約】【課題】  ピッチの変換が可能であり、確実に多心光ファイバ心線を保持することが可能な光ファイバ保持部材を提供する。【解決手段】  本体部３は、光ファイバが配置される部位であり、略直方体の部材である。本体部３の幅方向の一方の側方には、本体部３に対してヒンジにより開閉可能な蓋部５が設けられる。蓋部５の下面（本体部３との対向面）の少なくとも一部には、光ファイバを押さえる押さえ部７が長手方向にわたって形成される。本体部３の上面（蓋部５との対向面）には、多心光ファイバ心線が配置される光ファイバ設置面１３が形成される。本体部３の光ファイバ設置面１３の上面には長手方向に沿って複数のＶ溝１１が形成される。本体部３の後端側から先端側に向かって、Ｖ溝１１のピッチは大きくなる。【選択図】図２
2019159057.tif 000002
【特許請求の範囲】
【請求項１】
光ファイバが配置される本体部と、
前記本体部に対して開閉可能な蓋部と、
を具備し、
前記蓋部の下面の少なくとも一部には、光ファイバの押さえ部が設けられ、
前記本体部の光ファイバ設置面には、複数のＶ溝が形成され、
前記本体部の後端側から先端側に向かって、前記Ｖ溝のピッチが大きくなることを特徴とする光ファイバ保持部材。
【請求項２】
前記蓋部は、前記本体部の後端部近傍を押圧する第１の押さえ部が設けられる第１の蓋部と、前記第１の押さえ部よりも、前記本体部の先端側を押圧可能な第２の押さえ部が設けられる第２の蓋部とを有し、前記第１の蓋部と前記第２の蓋部は別体であることを特徴とする請求項１記載の光ファイバ保持部材。
【請求項３】
前記第２の蓋部は、閉じた状態で、前記本体部に対して、前記Ｖ溝に略平行に移動可能であることを特徴とする請求項２に記載の光ファイバ保持部材。
【請求項４】
前記第２の蓋部は、前記第１の蓋部の前記第１の押さえ部と、前記第１の蓋部の先端部との間を移動可能であり、前記第１の蓋部の先端部の下面側には凹部が形成され、前記第２の蓋部を前記本体部の先端方向に移動させた際に、前記第２の蓋部の一部が、前記凹部に嵌りこみ、前記第２の蓋部が前記第１の蓋部で保持されることを特徴とする請求項３記載の光ファイバ保持部材。
【請求項５】
前記第２の蓋部を前記本体部の先端方向に移動させた際に、前記第２の蓋部と前記第１の蓋部の後端部との間に挿入されるスペーサを具備することを特徴とする請求項４記載の光ファイバ保持部材。
【請求項６】
前記本体部の先端側に配置され、前記本体部の先端側における前記Ｖ溝のピッチと略同一のピッチのＶ溝を有する補助部材を具備することを特徴とする請求項１から請求項５のいずれかに記載の光ファイバ保持部材。
【請求項７】
請求項３または請求項４記載の光ファイバ保持部材への光ファイバの配置方法であって、
複数の光ファイバを、少なくとも前記本体部の後端部側における前記Ｖ溝に配置して、前記第１の蓋部と前記第２の蓋部とを閉じ、前記第２の押さえ部で光ファイバを押圧した状態で、前記第２の蓋部を前記本体部の先端側に移動させて光ファイバを前記Ｖ溝の全長にわたって配置することを特徴とする光ファイバ保持部材への光ファイバの配置方法。
【請求項８】
前記第２の蓋部を前記本体部の先端方向に移動させた後に、前記第２の蓋部と前記第１の蓋部の後端部との間にスペーサを挿入することを特徴とする請求項７記載の光ファイバ保持部材への光ファイバの配置方法。
【請求項９】
請求項６記載のファイバ保持部材への光ファイバの配置方法であって、
前記補助部材を前記本体部の先端側に配置し、
複数の光ファイバを、前記本体部および前記補助部材のそれぞれの前記Ｖ溝に配置し、
前記補助部材において、光ファイバを押さえた状態で、前記蓋部を閉じ、光ファイバを前記本体部における前記Ｖ溝の全長にわたって配置することを特徴とする光ファイバ保持部材への光ファイバの配置方法。
【発明の詳細な説明】
【技術分野】
【０００１】
本発明は、複数本の光ファイバを、一括して保持することが可能な光ファイバ保持部材等に関する。
【背景技術】
【０００２】
多量のデータを高速で伝送するための光ファイバケーブルには、ケーブルへの収納や作業の簡易化のため、多心光ファイバ心線が用いられている。光ファイバ心線の接続等を行う際には、光ファイバを保持するための光ファイバ保持部材が使用されるが、多心光ファイバ心線の各光ファイバを一括して接続等を行うためには、複数本の光ファイバを一括して保持する必要がある。
【０００３】
このような光ファイバ保持部材としては、本体の長手方向に多心光ファイバ心線の全幅に対応する溝を形成し、溝に多心光ファイバ心線を配置した状態で蓋を閉じることで、蓋の内面に配置された凸部によって多心光ファイバ心線が押圧されて保持される光ファイバ保持部材がある（特許文献１）。
【先行技術文献】
【特許文献】
【０００４】
【特許文献１】特開２００７−５７６９８号公報
【発明の概要】
【発明が解決しようとする課題】
【０００５】
通常、多心光ファイバ心線は、各光ファイバ同士が互いに接触した状態で一体化される。すなわち、多心光ファイバ心線のピッチ（隣接する光ファイバの中心軸同士の間隔）は、おおむね、多心光ファイバ心線を構成する光ファイバの外径と略一致する。このため、多心光ファイバ心線の幅は、光ファイバの外径と本数とで決定される。
【０００６】
このような多心光ファイバ心線を保持する従来の光ファイバ保持部材は、多心光ファイバ心線全体の幅方向の位置を規制すれば、各光ファイバの位置を規制することができる。このため、従来の光ファイバ保持部材では、多心光ファイバ心線の全幅に応じた溝を形成することで、各光ファイバの位置を規制することができた。
【０００７】
一方、従来の多心光ファイバ心線は、２５０μｍ径の光ファイバで構成されることが一般的であった。すなわち、多くは２５０μｍピッチで光ファイバが整列されていた。しかし、近年、より光ファイバの高密度化のため、２００μｍピッチの多心光ファイバ心線が使用されている。
【０００８】
このような２００μｍピッチの多心光ファイバ心線同士を接続するためには、２００μｍピッチ用の光ファイバ保持部材が用いられる。すなわち、２００μｍピッチで整列された多心光ファイバ心線の幅に応じた溝が形成された光ファイバ保持部材が用いられる。
【０００９】
しかし、従来使用されてきた２５０μｍピッチの多心光ファイバ心線と２００μｍピッチの多心光ファイバ心線とを接続する場合がある。このため、２５０μｍピッチの多心光ファイバ心線と２００μｍピッチの多心光ファイバ心線などのように、異なるピッチの多心光ファイバ心線同士を接続可能な光ファイバ保持部材が望まれている。
【００１０】
本発明は、このような問題に鑑みてなされたもので、ピッチの変換が可能であり、確実に多心光ファイバ心線を保持することが可能な光ファイバ保持部材等を提供することを目的とする。
【課題を解決するための手段】
【００１１】
前述した目的を達成するため、第１の発明は、光ファイバが配置される本体部と、前記本体部に対して開閉可能な蓋部と、を具備し、前記蓋部の下面の少なくとも一部には、光ファイバの押さえ部が設けられ、前記本体部の光ファイバ設置面には、複数のＶ溝が形成され、前記本体部の後端側から先端側に向かって、前記Ｖ溝のピッチが大きくなることを特徴とする光ファイバ保持部材である。
【００１２】
前記蓋部は、前記本体部の後端部近傍を押圧する第１の押さえ部が設けられる第１の蓋部と、前記第１の押さえ部よりも、前記本体部の先端側を押圧可能な第２の押さえ部が設けられる第２の蓋部とを有し、前記第１の蓋部と前記第２の蓋部は別体であってもよい。
【００１３】
前記第２の蓋部は、閉じた状態で、前記本体部に対して、前記Ｖ溝に略平行に移動可能であってもよい。
【００１４】
前記第２の蓋部は、前記第１の蓋部の前記第１の押さえ部と、前記第１の蓋部の先端部との間を移動可能であり、前記第１の蓋部の先端部の下面側には凹部が形成され、前記第２の蓋部を前記本体部の先端方向に移動させた際に、前記第２の蓋部の一部が、前記凹部に嵌りこみ、前記第２の蓋部が前記第１の蓋部で保持されてもよい。
【００１５】
前記第２の蓋部を前記本体部の先端方向に移動させた際に、前記第２の蓋部と前記第１の蓋部の後端部との間に挿入されるスペーサを具備してもよい。
【００１６】
前記本体部の先端側に配置され、前記本体部の先端側における前記Ｖ溝のピッチと略同一のピッチのＶ溝を有する補助部材を具備してもよい。
【００１７】
第１の発明によれば、光ファイバ設置面において、後端部におけるピッチよりも、先端部におけるピッチが広くなるようにピッチの異なるＶ溝が形成される。すなわち、光ファイバ保持部材の先端部においては、光ファイバ同士を所定の間隔で保持することができる。このため、例えば、２００μｍピッチの多心光ファイバ心線を２５０μｍピッチに変換して保持することができる。
【００１８】
また、蓋部が第１の蓋部と第２の蓋部に分割され、それぞれ独立して開閉可能とすることで、光ファイバ保持部材の後端側の多心光ファイバ心線を第１の蓋部を閉じて押さえた後、先端側の所定のピッチでＶ溝に配置された光ファイバを抑えることができる。このため、光ファイバをＶ溝に容易に配置することができる。
【００１９】
特に、第２の蓋部を、Ｖ溝に沿って移動可能とすることで、まず、第１の蓋部近傍において第２の蓋部で光ファイバを抑えることができるため、光ファイバを各Ｖ溝に配置させ、その状態から本体部の先端側に向けて第２の蓋部を移動させることで、光ファイバを先端方向に向かってＶ溝に誘導しながら配置することができる。このため、確実に光ファイバをＶ溝の全長にわたって配置することができる。
【００２０】
また、第２の蓋部を本体部の先端側に移動させた状態で、第２の蓋部が第１の蓋部の下面側に配置された凹部に嵌まり込むことで、第２の蓋部が第１の蓋部で保持され、光ファイバを押圧した状態で保持することができる。
【００２１】
また、この状態で第１の蓋部と第２の蓋部との間にスペーサを配置することで、第２の蓋部が後方に移動することを防止することができる。
【００２２】
また、蓋部を閉じる前に、本体部の先端側で光ファイバを所定のピッチで保持可能な補助部材で光ファイバを仮押さえすることで、蓋部を閉じる際に光ファイバが位置ずれを起こすことを抑制することができる。
【００２３】
第２の発明は、第１の発明にかかるファイバ保持部材への光ファイバの配置方法であって、複数の光ファイバを、少なくとも前記本体部の後端部側における前記Ｖ溝に配置して、前記第１の蓋部と前記第２の蓋部とを閉じ、前記第２の押さえ部で光ファイバを押圧した状態で、前記第２の蓋部を前記本体部の先端側に移動させて光ファイバを前記Ｖ溝の全長にわたって配置することを特徴とする光ファイバ保持部材への光ファイバの配置方法である。
【００２４】
この場合、前記第２の蓋部を前記本体部の先端方向に移動させた後に、前記第２の蓋部と前記第１の蓋部の後端部との間にスペーサを挿入してもよい。
【００２５】
第２の発明によれば、第２の蓋部をＶ溝に沿って移動可能とすることで、光ファイバを先端方向に向かってＶ溝に誘導しながら配置することができる。このため、確実に光ファイバをＶ溝の全長にわたって配置することができる。
【００２６】
また、この状態で第１の蓋部と第２の蓋部との間にスペーサを配置することで、第２の蓋部が後方に移動することを防止することができる。
【００２７】
第３の発明は、ファイバ保持部材への光ファイバの配置方法であって、前記補助部材を前記本体部の先端側に配置し、複数の光ファイバを、前記本体部および前記補助部材のそれぞれの前記Ｖ溝に配置し、また、第２の発明は、第１の発明にかかる前記補助部材において、光ファイバを押さえた状態で、前記蓋部を閉じ、光ファイバを前記本体部における前記Ｖ溝の全長にわたって配置することを特徴とする光ファイバ保持部材への光ファイバの配置方法である。
【００２８】
第３の発明によれば、蓋部を閉じる前に、本体部の先端側で光ファイバを所定のピッチで保持可能な補助部材で光ファイバを仮押さえすることで、蓋部を閉じる際に光ファイバが位置ずれを起こすことを抑制することができる。
【発明の効果】
【００２９】
本発明によれば、ピッチの変換が可能であり、確実に多心光ファイバ心線を保持することが可能な光ファイバ保持部材等を提供することができる。
【図面の簡単な説明】
【００３０】
【図１】光ファイバ保持部材１を示す斜視図。
【図２】光ファイバ保持部材１を示す平面図。
【図３】Ｖ溝１１の拡大図。
【図４】（ａ）は図３のＣ部の部分断面、（ｂ）は図３のＤ部の部分断面。
【図５】補助部材２１を配置した状態を示す図。
【図６】光ファイバ保持部材１ａを示す斜視図。
【図７】蓋部５ａを閉じた状態の光ファイバ保持部材１ａを示す斜視図。
【図８】蓋部５ｂを閉じた状態の光ファイバ保持部材１ａを示す斜視図。
【図９】蓋部５ｂを移動させた状態の光ファイバ保持部材１ａを示す斜視図。
【図１０】（ａ）は図８のＧ−Ｇ線断面図、（ｂ）は図９のＨ−Ｈ線断面図。
【図１１】（ａ）、（ｂ）は、スペーサ１９を取り付ける状態を示す図。
【発明を実施するための形態】
【００３１】
以下、本発明の実施の形態にかかる光ファイバ保持部材１について説明する。図１は、光ファイバ保持部材１を示す斜視図であり、図２は、光ファイバ保持部材１を示す平面図である。光ファイバ保持部材１は、主に本体部３、蓋部５、押さえ部７等から構成される。
【００３２】
本体部３は、光ファイバが配置される部位であり、略直方体の部材である。なお、本体部３の長手方向（保持対象の多心光ファイバ心線の軸方向）であって、多心光ファイバ心線の接続等が行われる側（図中矢印Ｂ方向）を光ファイバ保持部材１（本体部３）の先端側と称し、その逆側（図中矢印Ａ方向）を光ファイバ保持部材１（本体部３）の後端側と称する。また、本体部３の光ファイバが配置される面内で、該長手方向に垂直な方向を本体部３の幅方向とする。
【００３３】
本体部３の幅方向の一方の側方には、本体部３に対してヒンジにより開閉可能な蓋部５が設けられる。本体部３、蓋部５は例えば金属製である。本体部３の蓋部５との対向面には磁石９が配置される。蓋部５を本体部３に対して閉じると、磁石９によって、蓋部５が閉じた状態で維持される。蓋部５は、閉じた状態で蓋部５の裏面と本体部３の上面とが略平行となるように調整される。なお、長手方向に複数の蓋部５を備えていてもよい。
【００３４】
蓋部５の下面（本体部３との対向面）の少なくとも一部には、光ファイバを押さえる押さえ部７が長手方向の所定の範囲にわたって形成される。押さえ部７は、蓋部５の内面から所定の量だけ突出する。押さえ部７は、本体部３上に配置される光ファイバを押圧して保持する部材である。なお、押さえ部７は、例えば樹脂製等であり、光ファイバを傷つけない部材で構成される。
【００３５】
本体部３の上面（蓋部５との対向面）には、多心光ファイバ心線を構成する各光ファイバが配置される光ファイバ設置面１３が形成される。本体部３の光ファイバ設置面１３の上面には長手方向に沿って複数のＶ溝１１が形成される。
【００３６】
図３は、Ｖ溝１１の拡大図であり、図４（ａ）は、図３のＣ部の部分断面、図４（ｂ）は、図３のＤ部の部分断面である。Ｖ溝１１の本体部３の後端側（図中右側）のピッチ（図４（ａ）のＥ）は、本体部３の後端側（図中右側）のＶ溝１１のピッチ（図４（ｂ）のＦ）よりも狭い。すなわち、本体部３の後端側から先端側に向かって、Ｖ溝１１のピッチが大きくなる。例えば、図４（ａ）のＥは２００μｍであり、図４（ｂ）のＦは２５０μｍである。
【００３７】
このように、本体部３の後端側のＶ溝１１においては、例えば、光ファイバ１５同士が互いに接触する。すなわち、光ファイバ１５の外径が光ファイバ１５のピッチと略一致する。一方、本体部３の先端側のＶ溝１１においては、光ファイバ１５は互いに離れて配置される。この際、光ファイバ１５は、Ｖ溝１１のピッチによって位置が設定される。
【００３８】
なお、それぞれのＶ溝１１は一直線状に形成されてもよいが、図３に示したように、後端部近傍と先端部近傍に、長手方向に平行なストレート部１１ａ、１１ｃを形成し、中間部に徐々にピッチが変化するテーパ部１１ｂを形成してもよい。すなわち、ストレート部１１ａ、テーパ部１１ｂ、ストレート部１１ｃの境界において、Ｖ溝１１が屈曲してもよい。
【００３９】
また、Ｖ溝１１は、必ずしも断面形状がＶ字状である物に限られず、図４（ａ）、図４（ｂ）に示したように下面に平坦面を有してもよい。また、Ｖ溝１１は、本体部３の全長にわたって形成されてもよいが、図示したように、本体部３の後端部近傍は、従来の様に、多心光ファイバ心線の全幅に対応する一つ（一体）の溝であってもよく、この場合には、長手方向の途中から先端までの間にＶ溝１１が形成される。
【００４０】
次に、光ファイバ保持部材１への多心光ファイバ心線の配置方法について説明する。前述したように、例えば２００μｍピッチの多心光ファイバ心線を構成する各光ファイバを、それぞれＶ溝１１上に配置する。次に、蓋部５を閉じることで、各光ファイバがＶ溝１１に配置された状態で、押さえ部７によって上方から押さえつけられて保持される。
【００４１】
なお、各光ファイバをＶ溝１１に配置した後、蓋部５を閉じる際に光ファイバの位置がずれる恐れがある。例えば、光ファイバがＶ溝１１から外れる恐れがある。このような場合には、図５に示すように、補助部材２１を用いてもよい。すなわち、光ファイバ保持部材１は、別途補助部材２１を具備してもよい。
【００４２】
補助部材２１は、本体部３の先端側に配置され、本体部３の先端側におけるＶ溝１１のピッチと略同一のピッチのＶ溝２３を有する。なお、補助部材２１は、本体部３とは別体で構成される。このため、補助部材２１は、本体部３に対する位置決め機構が設けられる。図示した例では、平面視において、補助部材２１の凹部と本体部３の先端の凸部とが嵌合することで、補助部材２１と本体部３との幅方向の位置が合わせられる。
【００４３】
この場合、まず、本体部３の先端側に補助部材２１を配置する。この際、本体部３のＶ溝１１と補助部材２１のＶ溝２３が連続する。なお、Ｖ溝２３は、Ｖ溝１１の先端部におけるピッチで互いに略平行に形成される。
【００４４】
次に、多心光ファイバ心線（図示せず）の各光ファイバを、本体部３のＶ溝１１と補助部材２１のＶ溝２３に配置し、補助部材２１上の光ファイバを指で押さえる。この状態で、蓋部５を閉じることで、蓋部５が完全に閉じるまで、本体部３の先端部近傍の各光ファイバの位置ずれを防止することができる。すなわち、各光ファイバを押さえた状態で蓋部５を閉じることができ、光ファイバを本体部３におけるＶ溝１１の全長にわたって配置することができる。なお、補助部材２１にも他の蓋部を設けて、当該蓋部の下面の押さえ部によって各光ファイバを押さえてもよい。
【００４５】
このようにして多心光ファイバ心線が保持された光ファイバ保持部材１を用いれば、容易に、ピッチの異なる多心光ファイバ心線同士を接続することができる。例えば、２００μｍピッチの多心光ファイバ心線を、光ファイバ保持部材１の先端において２５０μｍピッチで配置する。また、別の従来の光ファイバ保持部材には、２５０μｍピッチの多心光ファイバ心線を保持する。これらを融着機にセットして融着を行うことで、異なるピッチの多心光ファイバ心線同士を一括して融着することができる。
【００４６】
以上、本実施の形態によれば、本体部３に複数のＶ溝１１が形成されるため、多心光ファイバ心線の各光ファイバをＶ溝１１に配置することができる。このため、各光ファイバをＶ溝１１のピッチで整列させることができる。すなわち、Ｖ溝１１によって、光ファイバの径よりも大きなピッチで整列させることができる。したがって、Ｖ溝１１のピッチを先端に行くにつれて広くすることで、光ファイバのピッチを広げて保持することができる。このため、ピッチの異なる多心光ファイバ心線同士を接続することが可能となる。
【００４７】
また、補助部材２１を用いることで、蓋部５を閉じる際に各光ファイバを押さえておくことができるため、蓋部５を閉じる際に各光ファイバがＶ溝１１から外れることを抑制することができる。
【００４８】
次に、第２の実施形態について説明する。図６は、第２の実施形態の光ファイバ保持部材１ａを示す斜視図である。なお、以下の説明において、光ファイバ保持部材１と同一の機能を奏する構成については、図１〜図５と同一の符号を付し、重複する説明を省略する。
【００４９】
光ファイバ保持部材１ａは、光ファイバ保持部材１と略同様の構成であるが、蓋部５ａ、５ｂが用いられる点で異なる。光ファイバ保持部材１ａの蓋部は、第１の蓋部である蓋部５ａと、第２の蓋部である蓋部５ｂからなる。蓋部５ａの下面の少なくとも一部には、第１の押さえ部である押さえ部７ａが設けられる。押さえ部７ａは、本体部３の後端部近傍を押圧可能である。
【００５０】
蓋部５ａよりも本体部３の先端側には蓋部５ｂが配置される。蓋部５ｂの下面の少なくとも一部には、第２の押さえ部である押さえ部７ｂが設けられる。押さえ部７ｂは、本体部３の先端側を押圧可能である。すなわち、押さえ部７ｂは、押さえ部７ａよりも本体部３の先端側を押圧可能である。
【００５１】
蓋部５ａは、枠状であり、前述したように、後端部側には押さえ部７ａが設けられる。蓋部５ａの先端側の下面には凹部１７が形成される。凹部１７は下面の一部が切り欠かれ部位である。なお、凹部１７は、後方に向けて開口する。
【００５２】
蓋部５ａ、５ｂは、それぞれ独立して開閉可能である。なお、蓋部５ｂは、蓋部５ａの外側に位置し、蓋部５ｂは、蓋部５ａが閉じている状態でのみ開閉可能である。また、蓋部５ｂは、閉じた状態で、本体部３に対して、本体部３の長手方向に（Ｖ溝１１に略平行に）移動可能である。より詳細には、蓋部５ｂは、蓋部５ａの押さえ部７ａと、蓋部５ａの先端部との間を移動可能である。
【００５３】
次に、光ファイバ保持部材１ａへの多心光ファイバ心線の配置方法について説明する。まず、多心光ファイバ心線（図示せず）の複数の光ファイバを、光ファイバ設置面１３に配置し、少なくとも本体部３の後端部側におけるＶ溝１１に配置して蓋部５ａを閉じる。
【００５４】
図７は、蓋部５ａのみを閉じた状態を示す図である。この状態では、多心光ファイバ心線は、押さえ部７ａによって押さえられる。すなわち、押さえ部７ａにおいては、多心光ファイバ心線は、そのピッチのまま押さえ部７ａで押さえられる。なお、押さえ部７ａは、Ｖ溝１１の一部に掛かっていてもよく、Ｖ溝１１の後方（多心光ファイバ心線の幅に応じた一体の溝）のみを押圧してもよい。
【００５５】
図８は、さらに蓋部５ｂを閉じた状態を示す図であり、図１０（ａ）は、図８のＧ−Ｇ線断面図である。蓋部５ｂを閉じると、蓋部５ｂの下面の押さえ部７ｂで各光ファイバを押さえることができる。すなわち、蓋部５ａと蓋部５ｂとを閉じると、押さえ部７ａ、７ｂで光ファイバを押圧した状態となる。
【００５６】
この際、押さえ部７ｂは、蓋部５ａの押さえ部７ａに近い位置で各光ファイバを押さえることができる。このため、各光ファイバは、多心光ファイバ心線のピッチとほぼ同一のピッチのＶ溝１１へ効率よく案内されて、それぞれのＶ溝１１へ各光ファイバを配置することができる。すなわち、Ｖ溝１１の後端近傍において、押さえ部７ｂで各光ファイバをＶ溝１１に対して押さえることができる。
【００５７】
なお、蓋部５ｂの一部は、閉じた状態で蓋部５ａの一部と接触し、蓋部５ｂが所定以上に強く閉じられることがない、例えば、図示したように、蓋部５ｂの先端部に段部を形成し、当該段部が蓋部５ａとの対向面と接触することで、蓋部５ｂの閉じ量が規制される。
【００５８】
図９は、蓋部５ｂを本体部３の先端側にスライド移動させた状態を示す図であり、図１０（ｂ）は、図９のＨ−Ｈ線断面図である。蓋部５ｂを先端側に移動させると、各光ファイバは、後方から先端に向かって徐々に押さえられる部位が移動する。前述したように、Ｖ溝１１の後方は、多心光ファイバ心線のピッチとほぼ一致するため、比較的容易にＶ溝１１へ誘導可能であるが、Ｖ溝１１の先端側はピッチが広がるため、各光ファイバを広げながらＶ溝１１へ配置する必要がある。
【００５９】
しかし、押さえ部７ｂを後方から先端側にＶ溝１１に沿って移動させることで、Ｖ溝１１の後端側において各Ｖ溝１１へ配置された各光ファイバを、順次Ｖ溝１１に沿ってピッチを広げながら、Ｖ溝１１へ誘導することができる。したがって、Ｖ溝１１の全長にわたって各光ファイバを配置し、Ｖ溝１１の先端側で各光ファイバを保持することができる。
【００６０】
また、蓋部５ｂの先端部は、本体部３の最先端まで移動させると、蓋部５ａの先端側の一部が、凹部１７に嵌まり込む。このため、蓋部５ｂが外面側から蓋部５ａによって押さえられ、保持される。したがって、蓋部５ｂが誤って開くことが抑制される。したがって、各光ファイバの先端部近傍が押さえられた状態を保持することができ、各光ファイバを確実にＶ溝１１のピッチで保持することができる。
【００６１】
この状態で、各光ファイバの切断や接続を行うことができるが、さらに、必要に応じて図１１（ａ）に示すようなスペーサ１９を用いてもよい。スペーサ１９は、蓋部５ｂを本体部３の先端方向に移動させた後に、蓋部５ｂと蓋部５ａの後端部との間に挿入される。図１１は、スペーサ１９を蓋部５ａと蓋部５ｂとの隙間に挿入した状態を示す図である。
【００６２】
スペーサ１９の長さは、蓋部５ａ（押さえ部７ａ側）と蓋部５ｂとの間の隙間とほぼ一致する。このため、スペーサ１９を取り付けると、蓋部５ｂが後方へ移動することを防止することができる。すなわち、蓋部５ｂが先端側に固定され、確実に各光ファイバを本体部３の先端部近傍で押さえ部７ｂで押さえることができる。
【００６３】
第２の実施形態によれば、第１の実施の形態と同様の効果を得ることができる。また、蓋部５ａ、５ｂを分割することで、まず、蓋部５ａの押さえ部７ａで多心光ファイバ心線をそのピッチのまま押さえることができる。さらに、その状態でＶ溝１１に対して蓋部５ｂの押さえ部７ｂで押さえることで、各光ファイバをそれぞれのＶ溝１１へ効率良く配置することができる。
【００６４】
また、各光ファイバを押さえながら蓋部５ｂを移動可能とすることで、各光ファイバをＶ溝１１に沿って徐々にピッチを変えながらＶ溝１１の全長にわたって各光ファイバを配置することができる。すなわち、ピッチが徐々に変化し、先端側ではピッチが広くなるＶ溝１１に対して、確実に各光ファイバを誘導して配置することができる。
【００６５】
また、蓋部５ｂの先端部の一部を蓋部５ａの背面側に形成された凹部１７に嵌め込むことで、蓋部５ｂを蓋部５ａで押さえることができるため、蓋部５ｂが誤って開くことを抑制することができる。なお、蓋部５ａは、磁石９によって閉じた状態が保持されるため、蓋部５ａが開くことを抑制することができる。
【００６６】
また、蓋部５ｂを先端側に移動させた後、蓋部５ａと蓋部５ｂとの間に生じた隙間にスペーサ１９を取り付けることで、蓋部５ｂが後方に移動してしまうことを抑制することができる。このため、確実に本体部３の先端部において、各光ファイバを押さえた状態を保持することができる。
【００６７】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６８】
例えば、多心光ファイバ心線は、２００μｍピッチである場合に限られず、狭いピッチの多心光ファイバ心線を広いピッチに変換する場合には、それに応じたＶ溝１１を形成すれば、いずれのピッチの多心光ファイバ心線にも適用可能である。
【００６９】
また、Ｖ溝１１の本数は特に限定されず、２本以上の光ファイバからなる多心光ファイバ心線に適用可能である。また、スペーサ１９は、光ファイバ保持部材１ａとは別体として説明したが、本体部３、又は蓋部５等と一体の部材として具備していても良い。
【符号の説明】
【００７０】
１、１ａ………光ファイバ保持部材
３………本体部
５、５ａ、５ｂ………蓋部
７、７ａ、７ｂ………押さえ部材
９………磁石
１１、２３………Ｖ溝
１１ａ、１１ｃ………ストレート部
１１ｂ………テーパ部
１３………光ファイバ設置面
１５………光ファイバ
１７………凹部
１９………スペーサ
２１………補助部材
【図１】
2019159057.tif 000003
【図２】
2019159057.tif 000004
【図３】
2019159057.tif 000005
【図４】
2019159057.tif 000006
【図５】
2019159057.tif 000007
【図６】
2019159057.tif 000008
【図７】
2019159057.tif 000009
【図８】
2019159057.tif 000010
【図９】
2019159057.tif 000011
【図１０】
2019159057.tif 000012
【図１１】
2019159057.tif 000013